(57)【要約】      （修正有）【課題】ＩＤカードのカード識別子を利用して、ＩＤカードの管理を好適に行うことができるＩＤカード管理システムを提供する。【解決手段】カード識別子を記憶した記憶媒体Ｃ１と印刷情報が印刷されたカード本体Ｃ２とを備えたＩＤカードＣと、カード本体Ｃ２に対して印刷情報を印刷するプリンタＰと、ＩＤカードＣの記憶媒体Ｃ１に対して読み出し可能なリーダＲと、プリンタＰ及びリーダＲと情報通信可能なデータベース装置Ｄとから構成されるものであって、従業員に関するユーザ情報を格納するユーザ情報データベースＤＢと、ユーザ情報をプリンタＰに出力する印刷情報出力手段と、リーダＲによって取得されたカード識別子の入力を受け付ける識別子受付手段Ｄ５と、カード識別子を印刷情報に対応するユーザ情報に関連付けて、従業員に係る新たなユーザ情報としてユーザ情報データベースＤＢに登録するカード識別子登録手段Ｄ６とを設けた。【選択図】図６
2006079377.tif 000002
【特許請求の範囲】
【請求項１】
固有の識別子を記憶した記憶媒体と所定の印刷情報が印刷され得るカード本体とを一体的に備えたＩＤカードと、当該ＩＤカードの前記カード本体に対して前記所定の印刷情報を印刷する印刷装置と、前記ＩＤカードの前記記憶媒体に対して読み出し可能又は読み書き可能なアクセス装置と、前記印刷装置及び前記アクセス装置と情報通信可能なデータベース装置とから構成されるＩＤカード管理システムであって、
前記データベース装置が、
前記ＩＤカードを所持するユーザに関する一又は複数のユーザ情報を格納するユーザ情報格納部と、
前記ユーザ情報格納部から所定の前記ユーザに係る前記ユーザ情報を取得し、当該取得した少なくとも一以上のユーザ情報を前記カード本体に印刷する印刷情報として前記印刷装置に出力する印刷情報出力手段と、
当該印刷情報出力手段により前記印刷装置に出力された印刷情報を印刷する印刷処理を施した後の前記カード本体に付帯してなる前記記憶媒体の識別子であって且つ前記記憶媒体にアクセスした前記アクセス装置によって取得された識別子の入力を、前記アクセス装置から受け付ける識別子受付手段と、
当該識別子受付手段により受け付けた前記識別子を、当該識別子が記憶された前記記憶媒体を付帯してなる前記カード本体に印刷した前記印刷情報に対応する前記ユーザ情報に関連付けて、前記ユーザに係る新たなユーザ情報として前記ユーザ情報格納部に登録する識別子登録手段と
を具備していることを特徴とするＩＤカード管理システム。
【請求項２】
固有の識別子を記憶した記憶媒体と所定の印刷情報が印刷され得るカード本体とを一体的に備えたＩＤカードと、当該ＩＤカードの前記カード本体に対して前記所定の印刷情報を印刷する印刷装置と、前記ＩＤカードの前記記憶媒体に対して読み出し可能又は読み書き可能なアクセス装置と、前記印刷装置及び前記アクセス装置と情報通信可能なデータベース装置とから構成されるＩＤカード管理システムであって、
前記データベース装置が、
当該データベース装置が有する又は当該データベース装置に接続された入力装置を利用して入力された前記ＩＤカードを所持するユーザに関する一又は複数のユーザ情報のうち、少なくとも一以上のユーザ情報を前記カード本体に印刷する印刷情報として前記印刷装置に出力する印刷情報出力手段と、
当該印刷情報出力手段により前記印刷装置に出力された印刷情報を印刷する印刷処理を施した後の前記カード本体に付帯してなる前記記憶媒体の識別子であって且つ前記記憶媒体にアクセスした前記アクセス装置によって取得された識別子の入力を、前記アクセス装置から受け付ける識別子受付手段と、
当該識別子受付手段により受け付けた前記識別子を、当該識別子が記憶された前記記憶媒体を付帯してなる前記カード本体に印刷した前記印刷情報に対応する前記ユーザ情報に関連付けて、前記ユーザに係る新たなユーザ情報として、前記ＩＤカードを所持するユーザに関する一又は複数のユーザ情報を格納するユーザ情報格納部に登録する識別子登録手段と
を具備していることを特徴とするＩＤカード管理システム。
【請求項３】
前記データベース装置のユーザ情報格納部に格納される前記ユーザ情報のうち、少なくとも一のユーザ情報が前記ユーザを特定する一の属性に関する一の属性値である請求項１又は２記載のＩＤカード管理システム。
【請求項４】
前記データベース装置が、
前記印刷情報出力手段により前記印刷装置に出力した前記印刷情報に対応するユーザ情報を、前記印刷情報が印刷された前記カード本体に付帯させた前記記憶媒体に書き込む書込情報として前記アクセス装置に出力する書込情報出力手段をさらに具備している請求項１、２又は３記載のＩＤカード管理システム。
【請求項５】
前記データベース装置が、
前記アクセス装置により取得された前記識別子と、前記カード本体に印刷した印刷情報に対応するユーザ情報とに基づいて新たな属性に関する属性値である新規属性値を生成する新規属性値生成手段と、
当該新規属性値生成手段により生成した前記新規属性値を、前記印刷情報に対応するユーザ情報を有した前記ユーザに係る新たなユーザ情報として前記ユーザ情報格納部に追加登録する新規ユーザ情報登録手段とをさらに具備している請求項１、２、３又は４記載のＩＤカード管理システム。
【請求項６】
前記データベース装置が、
前記新規ユーザ情報登録手段により前記ユーザ情報格納部に登録される前記新規ユーザ情報を、前記記憶媒体に書き込む新規書込情報として前記アクセス装置に出力する新規書込情報出力手段をさらに具備している請求項５記載のＩＤカード管理システム。
【請求項７】
前記データベース装置が、
前記カード本体への印刷レイアウトに関する情報をレイアウト情報として格納するレイアウト情報格納部をさらに有し、
前記データベース装置が、
前記レイアウト情報格納部から所定のレイアウト情報を取得し、当該取得したレイアウト情報と、前記ユーザ情報とを合成して前記印刷情報を生成する印刷情報生成手段をさらに具備し、
前記印刷情報出力手段が、当該印刷情報生成手段により生成した前記印刷情報を前記印刷装置に出力するものである請求項１、２、３、４、５又は６記載のＩＤカード管理システム。
【請求項８】
前記データベース装置又は前記アクセス装置の何れか一方又は両方が、前記データベース装置の前記印刷情報出力手段により出力された少なくとも前記印刷情報に対応する前記ユーザ情報を表示情報として画面表示する表示装置を有し、
前記データベース装置が、
前記印刷情報出力手段により前記印刷装置に出力された前記印刷情報に対応する前記ユーザ情報を前記表示装置に画面表示させる表示情報として前記表示装置に出力する表示情報出力手段をさらに具備してなり、
前記識別子受付手段が、前記表示情報出力手段により前記表示装置に出力された表示情報に対応するユーザ情報を印刷情報として印刷した前記カード本体に付帯してなる前記記憶媒体の識別子であって且つ前記記憶媒体にアクセスした前記アクセス装置によって取得された識別子の入力を、前記アクセス装置から受け付けるものである請求項１、２、３、４、５、６又は７記載のＩＤカード管理システム。
【請求項９】
固有の識別子を記憶した記憶媒体と所定の印刷情報が印刷され得るカード本体とを一体的に備えたＩＤカードを、前記記憶媒体の識別子を利用して管理するＩＤカード管理システムにおいて用いられ、
前記ＩＤカードの前記カード本体に対して前記所定の印刷情報を印刷する印刷装置、及び、前記ＩＤカードの前記記憶媒体に対して読み出し可能又は読み書き可能なアクセス装置の何れにも情報通信可能なデータベース装置であって、
前記ＩＤカードを所持するユーザに関する一又は複数のユーザ情報を格納するユーザ情報格納部と、
前記ユーザ情報格納部から所定の前記ユーザに係る前記ユーザ情報を取得し、当該取得した少なくとも一以上のユーザ情報を前記カード本体に印刷する印刷情報として前記印刷装置に出力する印刷情報出力手段と、
当該印刷情報出力手段により前記印刷装置に出力された印刷情報を印刷する印刷処理を施した後の前記カード本体に付帯してなる前記記憶媒体の識別子であって且つ前記記憶媒体にアクセスした前記アクセス装置によって取得された識別子の入力を前記アクセス装置から受け付ける識別子受付手段と、
当該識別子受付手段により受け付けた前記識別子を、当該識別子が記憶された前記記憶媒体を付帯してなる前記カード本体に印刷した前記印刷情報に対応する前記ユーザ情報に関連付けて、前記ユーザに係る新たなユーザ情報として前記ユーザ情報格納部に登録する識別子登録手段と
を具備していることを特徴とするデータベース装置。
【請求項１０】
固有の識別子を記憶した記憶媒体と所定の印刷情報が印刷され得るカード本体とを一体的に備えたＩＤカードを、前記記憶媒体の識別子を利用して管理するＩＤカード管理システムにおいて用いられ、
前記ＩＤカードの前記カード本体に対して前記所定の印刷情報を印刷する印刷装置、及び、前記ＩＤカードの前記記憶媒体に対して読み出し可能又は読み書き可能なアクセス装置の何れにも情報通信可能なデータベース装置であって、
当該データベース装置が有する又は当該データベース装置に接続された入力装置を利用して入力された前記ＩＤカードを所持するユーザに関する一又は複数のユーザ情報のうち、少なくとも一以上のユーザ情報を前記カード本体に印刷する印刷情報として前記印刷装置に出力する印刷情報出力手段と、
当該印刷情報出力手段により前記印刷装置に出力された印刷情報を印刷する印刷処理を施した後の前記カード本体に付帯してなる前記記憶媒体の識別子であって且つ前記記憶媒体にアクセスした前記アクセス装置によって取得された識別子の入力を、前記アクセス装置から受け付ける識別子受付手段と、
当該識別子受付手段により受け付けた前記識別子を、当該識別子が記憶された前記記憶媒体を付帯してなる前記カード本体に印刷した前記印刷情報に対応する前記ユーザ情報に関連付けて、前記ユーザに係る新たなユーザ情報として、前記ＩＤカードを所持するユーザに関する一又は複数のユーザ情報を格納するユーザ情報格納部に登録する識別子登録手段とを具備していることを特徴とするデータベース装置。
【請求項１１】
前記ユーザ情報格納部に格納される前記ユーザ情報のうち、少なくとも一のユーザ情報が前記ユーザを特定する一の属性に関する一の属性値である請求項９又は１０記載のデータベース装置。
【請求項１２】
前記印刷情報出力手段により前記印刷装置に出力した前記印刷情報に対応するユーザ情報を、前記印刷情報が印刷された前記カード本体に付帯させた前記記憶媒体に書き込む書込情報として前記アクセス装置に出力する書込情報出力手段をさらに具備している請求項９、１０又は１１記載のデータベース装置。
【請求項１３】
前記アクセス装置により取得された前記識別子と、前記カード本体に印刷した印刷情報に対応するユーザ情報とに基づいて新たな属性に関する属性値である新規属性値を生成する新規属性値生成手段と、
当該新規属性値生成手段により生成した前記新規属性値を、前記印刷情報に対応するユーザ情報を有した前記ユーザに係る新たなユーザ情報として前記ユーザ情報格納部に追加登録する新規ユーザ情報登録手段とをさらに具備している請求項９、１０、１１又は１２記載のデータベース装置。
【請求項１４】
前記新規ユーザ情報登録手段により前記ユーザ情報格納部に登録される前記新規ユーザ情報を、前記記憶媒体に書き込む新規書込情報として前記アクセス装置に出力する新規書込情報出力手段をさらに具備している請求項１３記載のデータベース装置。
【請求項１５】
前記カード本体への印刷レイアウトに関する情報をレイアウト情報として格納するレイアウト情報格納部を有し、
当該レイアウト情報格納部に格納されているレイアウト情報と、前記ユーザ情報とを合成して前記印刷情報を生成する印刷情報生成手段をさらに具備し、
前記印刷情報出力手段が、当該印刷情報生成手段により前記レイアウト情報と前記ユーザ情報とを合成した前記印刷情報を前記印刷装置に出力するものである請求項９、１０、１１、１２、１３又は１４記載のデータベース装置。
【請求項１６】
前記データベース装置又は前記アクセス装置の何れか一方又は両方が、前記印刷情報出力手段により出力された前記印刷情報に対応する前記ユーザ情報を表示情報として画面表示する表示装置を有するものであり、
前記印刷情報出力手段により前記印刷装置に出力された前記印刷情報に対応する前記ユーザ情報を前記表示装置に画面表示させる表示情報として前記表示装置に出力する表示情報出力手段をさらに具備してなり、
前記識別子受付手段が、前記表示情報出力手段により前記表示装置に出力された表示情報に対応するユーザ情報を印刷情報として印刷した前記カード本体に付帯してなる前記記憶媒体の識別子であって且つ前記記憶媒体にアクセスした前記アクセス装置によって取得された識別子の入力を、前記アクセス装置から受け付けるものである請求項９、１０、１１、１２、１３、１４又は１５記載のデータベース装置。
【発明の詳細な説明】
【技術分野】
【０００１】
本発明は、固有の識別子を記憶した記憶媒体を付帯させて作成したＩＤカードを、前記識別子を利用して好適に管理するＩＤカード管理システム及びＩＤカード管理システムに用いられるデータベース装置に関するものである。
【背景技術】
【０００２】
近時、固有の記憶媒体と所定の印刷内容が印刷されているカード本体とを一体的に設けてなるＩＤカードが種々開発されている。そして、このようなＩＤカードを作成する態様としては、予め成型した所定の金型内に記憶媒体を収容し、次いで前記金型内に熱可塑性の合成樹脂を充填し、この合成樹脂を硬化させることにより、記憶媒体が外装用の合成樹脂材によって封止された一のＩＤカード（プラスチック製ＩＤカード）を作成する態様が知られている（例えば特許文献１参照）。
【特許文献１】特開平１１−１７６９９１号公報（第２〜５頁、第１２図等）
【発明の開示】
【発明が解決しようとする課題】
【０００３】
しかしながら、上述した態様でＩＤカードを作成する場合、予め専用の金型を成型する必要があるため、製作過程における初期製作費用が高くなるとともに、このような金型を用いて小ロットのＩＤカードを作成した場合には、各ＩＤカードの単価が割高になりがちである。加えて、金型を用いてＩＤカードを作成するという態様は専ら大量生産を目的として工場等で採用されるものであり、中小規模のオフィスや家等ではコスト面から到底採用することのできないものであり、簡単にＩＤカードを作成することができないという問題も発生する。また、合成樹脂材に所定の印刷情報を印刷するためには、専用の印刷装置が必要であり、手軽に印刷することができず、このこともコストが高くなる一要因となっている。このように、上述したＩＤカードの作成態様は、小ロットの生産には不向きであり、様々なニーズに柔軟に対応することができないものである。
【０００４】
本発明は、このような課題に着目してなされたものであって、主たる目的は、製作コストを安価に抑えて小ロットの製造にも適するとともに、ＩＤカードに付帯させた固有の識別子を利用して、ＩＤカードに係る情報を好適に管理することができるＩＤカード管理システムを提供することにある。
【課題を解決するための手段】
【０００５】
すなわち、本発明のＩＤカード管理システムは、固有の識別子を記憶した記憶媒体と所定の印刷情報が印刷され得るカード本体とを一体的に備えたＩＤカードと、このＩＤカードの前記カード本体に対して前記所定の印刷情報を印刷する印刷装置と、前記ＩＤカードの前記記憶媒体に対して読み出し可能又は読み書き可能なアクセス装置と、前記印刷装置及び前記アクセス装置と情報通信可能なデータベース装置とから構成される。そして、前記データベース装置が、前記ＩＤカードを所持するユーザに関する一又は複数のユーザ情報を格納するユーザ情報格納部と、前記ユーザ情報格納部から所定の前記ユーザに係る前記ユーザ情報を取得し、この取得した少なくとも一以上のユーザ情報を前記カード本体に印刷する印刷情報として前記印刷装置に出力する印刷情報出力手段と、この印刷情報出力手段により前記印刷装置に出力された印刷情報を印刷する印刷処理を施した後の前記カード本体に付帯してなる前記記憶媒体の識別子であって且つ前記記憶媒体にアクセスした前記アクセス装置によって取得された識別子の入力を、前記アクセス装置から受け付ける識別子受付手段と、この識別子受付手段により受け付けた前記識別子を、この識別子が記憶された前記記憶媒体を付帯してなる前記カード本体に印刷した前記印刷情報に対応する前記ユーザ情報に関連付けて、前記ユーザに係る新たなユーザ情報として前記ユーザ情報格納部に登録する識別子登録手段とを具備していることを特徴とするものである。
【０００６】
さらに、本発明はまた、上述したデータベース装置である。すなわち斯かる本発明のデータベース装置は、固有の識別子を記憶した記憶媒体と所定の印刷情報が印刷され得るカード本体とを一体的に備えたＩＤカードを、前記記憶媒体の固有の識別子を利用して管理するＩＤカード管理システムにおいて用いられ、前記ＩＤカードの前記カード本体に対して前記所定の印刷情報を印刷する印刷装置、及び、前記ＩＤカードの前記記憶媒体に対して読み出し可能又は読み書き可能なアクセス装置の何れにも情報通信可能なものである。そして、前記ＩＤカード管理システムでも触れたように、このデータベース装置は、少なくとも、印刷情報出力手段と、識別子受付手段と、識別子登録手段とを具備していることを特徴とする。
【０００７】
ここで、本発明における「データベース装置」は、データベース機能及びデータベース管理機能を備えた情報処理装置であり、上述の各手段による処理を実行するために所定のプログラムが搭載されている。また、「記憶媒体」としては、所定のメモリ部、通信部等を有した外部機器と情報通信可能なＩＣチップ、又はバーコード、その他適宜のものを適用することができる。特に非接触情報通信可能なＩＣチップを適用する場合には、ＲＦＩＤ（Ｒａｄｉｏ  Ｆｒｅｑｕｅｎｃｙ  Ｉｄｅｎｔｉｆｉｃａｔｉｏｎ）方式を採用することができる。そして、このような記憶媒体には、所定のリーダ、又はリーダライタ等の本発明のアクセス装置を利用してアクセスすることによって、記憶媒体に記録されている固有の識別子を読み取り、又は記憶媒体に所定の情報を書き込むことができる。また、印刷装置は、用紙等の印刷対象物に所定の印刷情報を印刷し得る機能を備えたものであればよく、その種類は問わない。そして、アクセス装置及び印刷装置はデータベース装置と通信可能に接続され、これら全体で、本発明のＩＤカード管理システムを構築している。
【０００８】
このような本発明のＩＤカード管理システムでは、データベース装置が、印刷情報出力手段によって、ユーザ情報格納部から予め格納されている又は印刷する直前に入力したユーザに係るユーザ情報を取得して、この取得したユーザ情報を印刷情報として印刷装置に出力する。なお、ユーザ情報格納部には、一のユーザに関する一又は複数のユーザ情報が格納されていてもよく、或いは複数のユーザに関するユーザ情報が格納されていてもよく、後者の場合、各ユーザに関するユーザ情報は一又は複数何れであっても構わない。この際、印刷情報は、一又は複数のユーザに係るユーザ情報であり、また、取得した一のユーザに係るユーザ情報のうち選択された一のユーザ情報のみを印刷情報としてもよく、あるいは取得した全てのユーザ情報を印刷情報としても構わない。そして、印刷装置がデータベース装置の印刷情報出力手段によって出力された印刷情報をカード本体に印刷するため、ユーザ情報格納部に格納されているユーザに係るユーザ情報のうちから所望のユーザ情報をカード本体に簡単且つ手軽に印刷することができる。斯かる印刷情報を印刷したカード本体と固有の識別子を記憶した記憶媒体とを適宜の方法により一体的に備えてなるＩＤカードに対して、アクセス装置がＩＤカードの記憶媒体にアクセスし、このＩＤカードを構成する記憶媒体の識別子を取得する。そして、データベース装置が、識別子受付手段により、前記アクセス装置が取得した記憶媒体の識別子の入力を受け付けるとともに、識別子登録手段により、受け付けた識別子を、カード本体に印刷した印刷情報に対応するユーザ情報に関連付けてユーザに係る新たなユーザ情報としてユーザ情報格納部に登録する。その結果、カード本体に印刷した印刷情報と、このカード本体に付帯させてなる記憶媒体の識別子とを確実に対応付けることができる。また、本発明のＩＤカード管理システムによれば、ＩＤカードを作成するに際して、予め専用の金型を成型する必要がないため、初期製作費用を抑えることができるとともに、印刷装置を介して所定の印刷情報をカード本体に印刷するため、小ロット製作も可能であり、比較的小規模なオフィスや家庭内でも簡単かつ手軽にＩＤカードを作成することができる。さらに、以上の手順を経て作成したＩＤカードに係る識別子を、アクセス装置を介してユーザに係る新たなユーザ情報としてユーザ情報格納部に格納することができ、このＩＤカードに係る識別子を、印刷する際に印刷情報として活用されるユーザ情報に対応付けてユーザ情報格納部に登録して管理するため、このユーザ情報格納部に格納されるユーザ情報に基づいてＩＤカードの管理を容易に行うことができる。
【０００９】
ところで、以上に述べたＩＤカード管理システム及び当該システムを構成するデータベース装置は、ユーザ情報格納部に格納されているユーザ情報を、カード本体に印刷する印刷情報として活用するとともに、当該ユーザ情報にＩＤカードの識別子を関連付けることにより、ＩＤカードを管理するための情報としても活用可能な態様である（以下、当該実施態様を「第一実施態様」と称す）。一方、カード本体に印刷することを意図して入力したユーザ情報を、当該ユーザ情報にＩＤカードの識別子を関連付けることにより、ＩＤカードを管理するための情報としても活用できるＩＤカード管理システム及び当該システムを構成するデータベース装置であっても構わない。具体的には、前記データベース装置が、このデータベース装置が有する又は当該データベース装置に接続された入力装置を利用して入力された前記ＩＤカードを所持するユーザに関する一又は複数のユーザ情報のうち、少なくとも一以上のユーザ情報を前記カード本体に印刷する印刷情報として前記印刷装置に出力する印刷情報出力手段と、この印刷情報出力手段により前記印刷装置に出力された印刷情報を印刷する印刷処理を施した後の前記カード本体に付帯してなる前記記憶媒体の識別子であって且つ前記記憶媒体にアクセスした前記アクセス装置によって取得された識別子の入力を、前記アクセス装置から受け付ける識別子受付手段と、この識別子受付手段により受け付けた前記識別子を、当該識別子が記憶された前記記憶媒体を付帯してなる前記カード本体に印刷した前記印刷情報に対応する前記ユーザ情報に関連付けて、前記ユーザに係る新たなユーザ情報として、前記印刷情報に対応する前記ユーザ情報と共に、前記ＩＤカードを所持するユーザに関する一又は複数のユーザ情報を格納するユーザ情報格納部に登録する識別子登録手段とを具備しているものが挙げられる（当該実施態様を「第二実施態様」と称す）。ここで、「データベース装置が有する入力装置」とは、データベース装置に一体に設けた入力装置を意味し、「データベース装置に接続された入力装置」とは、有線・無線を問わずデータベース装置に接続され且つデータベース装置とは別体の入力装置を意味する。
【００１０】
このようなものであれば、カード本体に印刷するために入力装置を介して入力したユーザ情報を、単に印刷情報として活用するに止まらず、このユーザ情報にＩＤカードの識別子を関連付けてユーザ情報格納部に格納することにより、ＩＤカードを管理するための情報としても転用することができる。
【００１１】
特に、前記データベース装置のユーザ情報格納部に格納される前記ユーザ情報のうち、少なくとも一のユーザ情報が前記ユーザを特定する一の属性に関する一の属性値であれば、複数人のＩＤカードを作成した場合であっても、一のユーザに係るユーザ情報と、当該ユーザ情報を印刷情報として印刷したカード本体に付帯させた記憶媒体の識別子との関連付けを容易に行うことができ、その結果、ユーザ情報格納部において、一のユーザに係るユーザ情報と、他のユーザに係るユーザ情報とをそれぞれ明確に区別することが可能となり、各ＩＤカードに関する情報を好適に管理することができる。
【００１２】
加えて、前記データベース装置が、前記印刷情報出力手段により前記印刷装置に出力した前記印刷情報に対応するユーザ情報を、前記印刷情報が印刷された前記カード本体に付帯させた前記記憶媒体に書き込む書込情報として前記アクセス装置に出力する書込情報出力手段をさらに具備しているものであれば、ユーザ情報格納部に格納されているユーザ情報を、印刷情報及び書込情報として共用することができる。また、ユーザ情報格納部に格納されているユーザ情報を、ＩＤカードを構成する記憶媒体にアクセス装置を介して確実に記憶させることができ、カード本体に印刷した印刷情報と、記憶媒体に書き込まれた書込情報とが異なるというカード作成時のミスを有効に防止することができる。
【００１３】
また、前記データベース装置が、前記アクセス装置により取得された前記識別子と、前記カード本体に印刷した印刷情報に対応するユーザ情報とに基づいて新たな属性に関する属性値である新規属性値を生成する新規属性値生成手段と、この新規属性値生成手段により生成した前記新規属性値を、前記印刷情報に対応したユーザ情報を有する前記ユーザに係る新たなユーザ情報として前記ユーザ情報格納部に追加登録する新規ユーザ情報登録手段とをさらに具備しているものであれば、ユーザ情報格納部にそれまでに格納されている属性値とは異なる属性に関する属性値を新規属性値として生成し、この新規属性値を固有の識別子に基づく新規ユーザ情報としてユーザ情報格納部に新たに登録することにより、各ユーザに係るユーザ情報を充実させることができるとともに、この新規ユーザ情報により、一のユーザに係るユーザ情報と他のユーザに係るユーザ情報との差別化を容易且つ的確に図り、ユーザ情報格納部に格納される各ユーザに係るユーザ情報を確実に識別することができる。
【００１４】
ユーザ情報格納部に登録した前記新規ユーザ情報を用いて、各ＩＤカードの識別性をも確保するには、前記データベース装置に、前記新規属性値登録手段により前記ユーザ情報格納部に登録される前記新規属性値を、前記記憶媒体に書き込む新規書込情報として前記アクセス装置に出力する新規書込情報出力手段をさらに設けるとよい。このようなものであれば、各ＩＤカード記憶媒体に記録された識別子と新規ユーザ情報とにより、一のＩＤカードと他のＩＤカードとを確実に差別化することができる。
【００１５】
さらに、カード本体に印刷情報を印刷するに際して、ユーザ情報格納部に格納されているユーザ情報のみを単に印刷するのではなく、このユーザ情報をユーザのニーズあるいは好みにあったレイアウトで印刷できるようにするためには、前記データベース装置が、前記カード本体への印刷レイアウトに関する情報をレイアウト情報として格納するレイアウト情報格納部を有し、前記データベース装置に、レイアウト情報格納部から所定のレイアウト情報を取得し、この取得したレイアウト情報と、前記ユーザ情報とを合成して前記印刷情報を生成する印刷情報生成手段をさらに設け、前記データベース管理システムの前記印刷情報出力手段が、この印刷情報生成手段により生成した印刷情報を前記印刷装置に出力するものであることが好ましい。ここで、印刷情報生成手段において、取得したレイアウト情報と合成されるユーザ情報は、前記第一実施態様では、ユーザ情報格納部に格納されている所定のユーザに係るユーザ情報であり、一方、前記第二実施態様では、カード本体に印刷するために前記入力装置を利用して入力されたユーザ情報である。
【００１６】
また、印刷情報に対応するユーザ情報と、当該印刷情報が印刷されたカード本体を備えたＩＤカードの識別子とを一のユーザに係るユーザ情報として相互に関連付けてユーザ情報格納部に格納するためには、前記データベース装置又は前記アクセス装置の何れか一方又は両方が、前記データベース装置の前記印刷情報出力手段により出力された前記印刷情報に対応する前記ユーザ情報を表示情報として画面表示する表示装置を有し、前記データベース装置が、前記印刷情報出力手段により前記印刷装置に出力された前記印刷情報に対応する前記ユーザ情報を前記表示装置に画面表示させる表示情報として前記表示装置に出力する表示情報出力手段をさらに具備してなり、前記識別子受付手段が、前記表示情報出力手段により前記表示装置に出力された表示情報に対応するユーザ情報を印刷情報として印刷した前記カード本体に付帯してなる前記記憶媒体の識別子であって且つ前記記憶媒体にアクセスした前記アクセス装置によって取得された識別子の入力を、前記アクセス装置から受け付けるものであればよい。ここで、「表示装置に出力する」とは、「表示装置に画面出力する」又は「表示装置に対して送信出力する」の何れをも含む概念であり、具体的には、データベース装置が表示装置を有する場合、「表示装置に出力する」とは「表示装置に画面出力する」という意味であり、他方、アクセス装置が表示装置を有する場合、「表示装置に出力する」とは「表示装置に対して送信出力する」という意味である。このようなものであれば、表示装置に画面表示される表示情報を参照して、この表示情報に対応するユーザ情報を印刷情報として印刷したカード本体を有するＩＤカードをアクセス装置にかざす又はセットすることにより、このＩＤカードの記憶媒体が記憶している識別子をアクセス装置に取得させることができる。そして、この取得した識別子を、表示情報に対応するユーザ情報、すなわち印刷情報に対応するユーザ情報に関連付けて一のユーザに係る新たなユーザ情報としてユーザ情報格納部に登録することができ、ユーザ情報格納部において、取得した識別子が他のユーザに係る新たなユーザ情報として誤って登録されるという不具合を防止することができ、ユーザ情報格納部に登録されるユーザー情報に対して高い信頼性を与えることが可能となり、実用性に富むものとなる。
【発明の効果】
【００１７】
以上説明したように本発明によれば、上述した従来のプラスチック製ＩＤカード等と比較して、ＩＤカードを作成するにあたって予め所定の金型を成形する必要がないため、製作過程における初期費用を低く抑えることができ、ＩＤカードの作成をロット数にかかわらずに小コストで簡単且つ手軽に行うことができる。これにより、比較的小規模なオフィスや家庭等においても利用することができ、汎用性に優れたものとなる。また、印刷情報に対応するユーザ情報と記憶媒体が記憶媒体が記憶している識別子とを一のユーザに係るユーザ情報として相互に関連付けてユーザ情報格納部に格納するため、このユーザ情報情報格納部に格納されているユーザ情報に基づいてＩＤカードの的確な管理を行うことができる。
【発明を実施するための最良の形態】
【００１８】
以下、本発明の一実施形態を、図面を参照して説明する。
【００１９】
図１に概略的な全体構成図を示す本実施形態に係るＩＤカード管理システムＳは、固有の識別子を記憶した記憶媒体Ｃ１と所定の印刷情報が印刷され得るカード本体Ｃ２とを一体的に備えたＩＤカードＣと、このＩＤカードＣのカード本体Ｃ２に対して所定の印刷情報を印刷する印刷装置たるプリンタＰと、ＩＤカードＣの記憶媒体Ｃ１に対して読み込み可能なアクセス装置たるリーダＲと、プリンタＰ及びリーダＲと情報通信可能なデータベース装置Ｄとから構成される。なお、以下に説明する本実施形態は、このＩＤカード管理システムＳを、複数の従業員が働く会社内に適用した場合の一例である。
【００２０】
ＩＤカードＣは、前述したように、記憶媒体Ｃ１とカード本体Ｃ２とからなるものである。本実施形態においては、記憶媒体Ｃ１として、ＲＦＩＤ（Ｒａｄｉｏ  Ｆｒｅｑｕｅｎｃｙ  ＩＤｅｎｔｉｆｉｃａｔｉｏｎ）方式の非接触情報通信可能なＩＣチップを適用している。各記憶媒体Ｃ１は、それぞれ異なる固有の識別子（シリアルナンバー）を記憶しており、この識別子をＩＤカードＣに付帯させることにより、各ＩＤカードＣには、全て異なる識別子（以下、カード識別子と称す）が付与されることになる。なお、本実施形態では、ＲＦＩＤ方式として、電磁誘導方式（電磁誘導作用を利用してＩＣチップに電力を供給しながらＩＣチップと交信する方式）を採用しているが、これに限らず、マイクロ波方式（マイクロ波帯を用いてＩＣチップと交信する方式）や光方式（赤外線等の光波を用いてＩＣチップと交信する方式）等、種々の方式を採用しても構わない。
【００２１】
一方、本実施形態では、カード本体Ｃ２を、フィルムＬ１付きのラベル用紙ＬＰから形成している。
【００２２】
ここで、ラベル用紙ＬＰについて説明すると、このラベル用紙ＬＰは、例えば、図２（同図（ａ）はラベル用紙ＬＰをラベル紙Ｌ３側から見た平面図、同図（ｂ）は（ａ）のＡ−Ａ線端面図）に示すように、フィルムＬ１、剥離紙Ｌ２、ラベル紙Ｌ３をこの順で積層したものである。なお、剥離紙Ｌ２及びフィルムＬ１は、ラベル紙Ｌ３と略同じ平面視寸法を有するものであり、同図（ａ）においては、ラベル紙Ｌ３によって視認することができない。そこで、説明の便宜上、同図において、ラベル紙Ｌ３の符号に続いて括弧書きで剥離紙Ｌ２及びフィルムＬ１の符号を付している。また、後述する図３において括弧書きで付されている符号は、当該括弧の直前又は直上に付す符号が示す部位又は領域と略同じ平面視寸法を有し、図面上では視認できない部材又は領域を指し示すものである。
【００２３】
このラベル用紙ＬＰは、フィルムＬ１の一方の面であって且つ剥離紙Ｌ２に接する面に第１粘着剤層Ｌ４を形成するとともに、ラベル紙Ｌ３の一方の面であって且つ剥離紙Ｌ２に接する面に第２粘着剤層Ｌ５を形成したものである。本実施形態では、例えば、第１粘着剤層Ｌ４をソルベント型アクリル系粘着剤を用いて構成し、第２粘着剤層Ｌ５をエマルジョン型アクリル系粘着剤を用いて構成している。なお、これら各粘着剤層Ｌ４、Ｌ５を他の粘着剤を用いて構成しても勿論構わない。また、図示していなが、剥離紙Ｌ２には、フィルムＬ１の第１粘着剤層Ｌ４側を向く面に第１剥離処理層を形成するとともに、ラベル紙Ｌ３の第２粘着剤層Ｌ５を向く面に第２剥離処理層を形成してある。これら各剥離処理層は、フィルムＬ１の第１粘着剤層Ｌ４側を向く面及びラベル紙Ｌ３の第２粘着剤層Ｌ５を向く面にそれぞれ剥離処理剤とした例えばシリコン樹脂溶液を塗布することによって形成したものであり、このシリコン塗布量を適宜調節することにより、ラベル紙Ｌ３の第２粘着剤層Ｌ５よりもフィルムＬ１の第１粘着剤層Ｌ４に対して優先的に剥離するように設定している。
【００２４】
また、フィルムＬ１として、透明又は半透明等透光性を有するものを適用し、他方、ラベル紙Ｌ３として、プリンタＰによって所定の印刷内容が印刷可能な素材からなるもの、特に本実施形態ではインクジェットプリンタ用マット紙を適用している。そして、ラベル紙Ｌ３の他方の面、すなわち前記第２粘着剤層Ｌ５を形成していない面を、所定の印刷内容が印刷可能な印刷面Ｌ３Ａとしている。また、ラベル紙Ｌ３及び剥離紙Ｌ２に、ラベル紙Ｌ３及び剥離紙Ｌ２の肉厚方向に連続して貫通させてなる共通の抜き加工用の第１輪郭分離線Ｌａを形成し、単一の第１輪郭分離線Ｌａに囲まれるラベル紙Ｌ３及び剥離紙Ｌ２上の領域に互いに等しい平面寸法を有する第１ラベル区分Ｌ３ａ及び第２ラベル区分Ｌ３ｂ、並びに第１剥離区分Ｌ２ａ及び第２剥離区分Ｌ２ｂを、第１ラベル区分Ｌ３ａと第２ラベル区分Ｌ３ｂとを区分けし且つ第１剥離区分Ｌ２ａと第２剥離区分Ｌ２ｂとを区分けする第１折り曲げ線Ｌｃを挟んで一体に形成している。このようにして一体に形成してなる第１ラベル区分Ｌ３ａ及び第２ラベル区分Ｌ３ｂ、並びに第１剥離区分Ｌ２ａ及び第２剥離区分Ｌ２ｂは、第１輪郭分離線Ｌａに沿ってラベル用紙ＬＰから分離可能に設定されている。他方、フィルムＬ１に、第１輪郭分離線Ｌａより一回り大きい略相似形状をなし且つフィルムＬ１の肉厚方向に貫通する切断部とフィルムＬ１の肉厚方向に貫通していない非切断部とを互い違いに連続してなる第２輪郭分離線Ｌｂを形成し、単一の第２輪郭分離線Ｌｂに囲まれるフィルムＬ１上の領域に互いに等しい平面寸法を有する第１フィルム区分Ｌ１ａ及び第２フィルム区分Ｌ１ｂを、これら第１フィルム区分Ｌ１ａと第２フィルム区分Ｌ１ｂとを区分けする第２折り曲げ線Ｌｄを挟んで一体に形成している。このように一体に形成してなる第１フィルム区分Ｌ１ａ及び第２フィルム区分Ｌ１ｂは、第２輪郭分離線Ｌｂに沿ってラベル用紙ＬＰから分離可能に設定されている。なお、第２輪郭分離線Ｌｂを第１輪郭分離線Ｌａより若干大きく設定しているのは、フィルム区分Ｌ１ａ、Ｌ２ｂ同士を第１粘着剤層Ｌ４を利用して貼付するのり代部を確保するためである。また、本実施形態においては、第２輪郭分離線Ｌｂに囲まれてなる第１フィルム区分Ｌ１ａ及び第２フィルム区分Ｌ１ｂを、フィルムＬ１における他の領域から容易に切り離せるように、第２輪郭分離線Ｌｂを構成する各非切断部の長さを０．２ｍｍに設定している。この非切断部の長さがこれに限らないことはいうまでもない。所定の力が付与されない限りフィルムＬ１はラベル用紙ＬＰから分離することはなく、ラベル紙Ｌ３及び剥離紙Ｌ２は第１輪郭分離線Ｌａによって切断されているものの、第１粘着剤層Ｌ４及び第２粘着剤層Ｌ５を介してフィルムＬ１に保持され、全体としてラベル用紙ＬＰの形態を保っている。本実施形態では、第１輪郭分離線Ｌａにより包囲される各ラベル区分Ｌ３ａ、Ｌ３ｂ及び各剥離区分Ｌ２ａ、Ｌ２ｂと、第２輪郭分離線Ｌｂにより包囲される各フィルム区分Ｌ１ａ、Ｌ１ｂとをＡ４サイズのラベル用紙ＬＰにそれぞれ４箇所設けている。
【００２５】
次に、このような構成を有するラベル用紙ＬＰからカード本体Ｃ２を作成する方法を図３を参照して説明する。先ず、プリンタＰを介してラベル紙Ｌ３の印刷面Ｌ３Ａに所定の印刷情報を印刷し（同図（ａ））、次いで、第１輪郭分離線Ｌａに沿って第１ラベル区分Ｌ３ａ及び第２ラベル区分Ｌ３ｂ、並びに第１剥離区分Ｌ２ａ及び第２剥離区分Ｌ２ｂをラベル用紙ＬＰから引き剥がそうとすると、剥離紙Ｌ２と第１粘着剤層Ｌ４との間における剥離動作が、剥離紙Ｌ２と第２粘着剤層Ｌ５との間における剥離動作よりも優先して行われるため、各ラベル区分Ｌ３ａ、Ｌ３ｂと各剥離区分Ｌ２ａ、Ｌ２ｂとが重層した状態でラベル用紙ＬＰから分離する（同図（ｂ））。この状態において、ラベル紙Ｌ３及び剥離紙Ｌ２には、各ラベル区分Ｌ３ａ、Ｌ３ｂ及び各剥離区分Ｌ２ａ、Ｌ２ｂの離脱により第１輪郭分離線Ｌａに囲まれてなる開口部Ｌｓが形成される。この開口部Ｌｓには、フィルムＬ１の第１粘着剤層Ｌ４が表出しており、重層状態にある各ラベル区分Ｌ３ａ、Ｌ３ｂ及び各剥離区分Ｌ２ａ、Ｌ２ｂを裏返し、第１ラベル区分Ｌ３ａの印刷面Ｌ３Ａを第１フィルム区分Ｌ１ａの第１粘着剤層Ｌ４に貼り付けるとともに、第１剥離区分Ｌ２ａと第２剥離区分Ｌ２ｂとが対面するように第２ラベル区分Ｌ３ｂ及び第２剥離区分Ｌ２ｂを第１ラベル区分Ｌ３ａ及び第１剥離区分Ｌ２ａ側へ第１折り曲げ線Ｌｃに沿って折り曲げる（同図（ｃ））。引き続き、フィルムＬ１に設けた第２輪郭分離線Ｌｂに沿って、第１フィルム区分Ｌ１ａ及び第２フィルム区分Ｌ１ｂを、重層状態にある各ラベル区分Ｌ３ａ、Ｌ３ｂ及び各剥離区分Ｌ２ａ、Ｌ２ｂと共にラベル用紙ＬＰから剥がすことにより、第１ラベル区分Ｌ３ａを第１フィルム区分Ｌ１ａによってラミネート処理を施したカード本体Ｃ２が形成される（同図（ｄ）、当該（ｄ）に示すカード本体Ｃ２はフィルム区分Ｌ１ａ、Ｌ１ｂ側から見た図である）。なお、第１輪郭分離線Ｌａに囲まれた開口部Ｌｓは中空となる。
【００２６】
しかして、本実施形態では、このように作成したカード本体Ｃ２における第１剥離区分Ｌ２ａと第２剥離区分Ｌ２ｂとの間に前記記憶媒体Ｃ１を挟持させ、第２フィルム区分Ｌ１ｂによって第２ラベル区分Ｌ３ｂをラミネートするように第２フィルム区分Ｌ１ｂを第２折り曲げ線Ｌｄに沿って第１フィルムＬ１ａ側へ谷折りするとともに、各ラベル区分Ｌ３ａ、Ｌ３ｂを外側から挟み込んだ状態で対面し且つ各ラベル区分Ｌ３ａ、Ｌ３ｂ及び各剥離区分Ｌ２ａ、Ｌ２ｂの全周に存在する各フィルム区分Ｌ１ａ、Ｌ１ｂの余剰部分（のり代部）を、第１粘着剤層Ｌ４同士を接着することによって貼り合わせると、カード本体Ｃ２の各剥離区分Ｌ２ａ、Ｌ２ｂの間に記憶媒体Ｃ１を挟持させ且つ互いの印刷面Ｌ３Ａを対応する各フィルム区分Ｌ１ａ、Ｌ１ｂでラミネートした一のＩＤカードＣが形成される（同図（ｅ−１）、（ｅ―２））。なお、積層状態にある各ラベル区分Ｌ３ａ、Ｌ３ｂ及び各剥離区分Ｌ２ａ、Ｌ２ｂを裏返した後、各剥離区分Ｌ２ａ、Ｌ２ｂを対応する各ラベル区分Ｌ３ａ、Ｌ３ｂから剥がし、第１折り曲げ線Ｌｃ及び第２折り曲げ線Ｌｄに沿って各ラベル区分Ｌ３ａ、Ｌ３ｂ同士及び各フィルムＬ１ａ、Ｌ１ｂ同士が対面するように折り曲げ、対面するラベル区分Ｌ３ａ、Ｌ３ｂの間に記憶媒体Ｃ１を挟持させた状態で、対面するラベル区分Ｌ３ａ、Ｌ３ｂ同士を第２粘着剤層Ｌ５を利用して貼付するとともに、対面する各フィルム区分Ｌ１ａ、Ｌ１ｂののり代部同士を第１粘着剤層Ｌ４を利用して貼付することよりＩＤカードＣを形成するようにしてもよい。なお、後者の態様を採用する場合、対面するラベル区分Ｌ３ａ、Ｌ３ｂ同士の第２粘着剤層Ｌ５を利用した貼付強度が十分なものであれば、各フィルム区分Ｌ１ａ、Ｌ１ｂののり代部同士を第１粘着剤層Ｌ４を利用して貼付する必要がないため、ラベル用紙ＬＰに設ける第１輪郭分離線Ｌａと第２輪郭分離線Ｌｂとを同一線上に設定し、前記のり代部を確保しなくてもよい。なお、このラベル用紙ＬＰ及び当該ラベル用紙ＬＰからカード本体Ｃ２を作成する方法は一例であり、他の形態を有するラベル用紙からカード本体Ｃ２を形成しても構わない。
【００２７】
プリンタＰは、前述したように、所定の印刷情報をカード本体Ｃ２に印刷し得る機能を有するものであり、より具体的には、後述するデータベース装置Ｄの印刷情報出力手段Ｄ３によりデータベース装置Ｄから出力される所定の印刷情報を受け付ける印刷情報受付手段Ｐ１と、この印刷情報受付手段Ｐ１により受け付けた印刷情報をカード本体Ｃ２に印刷する印刷手段Ｐ２とを有するものであり、本実施形態ではプリンタＰとして例えばインクジェットプリンタＰを適用している。
【００２８】
リーダＲは、ＩＤカードＣを構成する記憶媒体Ｃ１に記録されている情報を読み取り得る機能を有するものであり、より具体的には、プリンタＰの印刷手段Ｐ２により印刷情報を印刷した後のカード本体Ｃ２に付帯させた記憶媒体Ｃ１に記憶している前記カード識別子を記憶媒体Ｃ１から取得するカード識別子取得手段Ｒ１と、カード識別子取得手段Ｒ１により取得したカード識別子をデータベース装置Ｄへ出力するカード識別子出力手段Ｒ２とを有するものである。
【００２９】
なお、プリンタＰ及びリーダＲは、それぞれＬＡＮケーブルを介して間接的に又はＬＡＮケーブルを介さずに直接的にデータベース装置Ｄに接続されている。
【００３０】
データベース装置Ｄは、例えば、図４に示すように、ＣＰＵ等のプロセッサＤａ、メモリＤｂ、ハードディスク等の記憶装置Ｄｃ、外部機器との通信インタフェースＤｄ、キーボード及びマウス等からなる入力装置Ｄｅ、液晶ディスプレイ等からなる表示装置Ｄｆ等をハードウェアとして備え、データベース機能を有する通常の情報処理装置であり、本実施形態においては、その一例としてＩＤカードＣに関する情報を管理する者（以下「ＩＤカード管理者」と称す）が使用するパソコンをデータベース装置Ｄとして用いている。なお、前記入力装置Ｄｅは、データベース装置Ｄに一体に設けたものであってよく、或いは有線・無線を問わずデータベース装置Ｄに接続され且つデータベース装置Ｄとは別体のものであってもよい。また、前記記憶装置Ｄｃの所定領域を、従業員に関する情報であるユーザ情報を格納する本発明のユーザ情報格納部たるユーザ情報データベースＤＢとして使用するとともに、記憶装置Ｄｃにおいてユーザ情報データベースＤＢとして使用している領域とは異なる所定領域を、カード本体Ｃ２への印刷レイアウトに関する情報であるレイアウト情報を格納するレイアウト情報格納部ＤＣとして使用している。さらに、記憶装置Ｄｃにおいてユーザ情報データベースＤＢ及びレイアウト情報格納部ＤＣとして使用している領域とは異なる所定領域を、ユーザ情報データベースＤＢの属性のみを例えばＣＳＶ形式（Ｃｏｍｍａ  Ｓｅｐａｒａｔｅｄ  Ｖａｌｕｅ  ｆｏｒｍａｔ）で記録したファイル、すなわちユーザ情報データベースＤＢの属性のみをテキストデータで記録したファイル（以下、当該ファイルを「ＣＳＶダミーファイル」と称す）を格納するＣＳＶダミーファイル格納部ＤＤとして使用している。また、データベース装置Ｄは、ユーザ情報データベースＤＢ、レイアウト情報格納部ＤＣ、ＣＳＶダミーファイル格納部ＤＤを管理する所定のプログラムをソフトウェアとしてメモリＤｂ又は記憶装置Ｄｃに格納するなどして搭載している。このデータベース装置Ｄが、所定のプログラムをプロセッサＤａで演算処理することにより、前記各ハードウェア等と協働して所定の機能を果たしている。本実施形態では、データベース装置Ｄが、プリンタＰ及びリーダＲとの情報のやり取りを所定のプログラムに従って司るようにしている。
【００３１】
ユーザ情報データベースＤＢは、従業員の氏名、従業員コード、所属部署、性別、画像、カード識別子等を属性とするものであり、従業員ごとに１ファイルが作成され、各ファイルには、例えば図５（ａ）に示すように、各属性に関する属性値がそれぞれユーザ情報として格納される。これら複数のユーザ情報のうち、、例えば、従業員コードに関する属性値は、ユーザを特定し得る属性値である。
【００３２】
レイアウト情報格納部ＤＣには、前記記憶装置Ｄｃに格納するなどして搭載している例えば既知の表計算ソフトウェアやドキュメンテーション作成ソフトウェア等、一般に使用するレイアウト作成ソフトウェアにより作成したレイアウト情報が格納される。なお、レイアウト情報は、ユーザ情報データベースＤＢの属性に依存するものであり、各属性に対応する文字や画像の配置位置や画面構成をレイアウト情報としてレイアウト情報格納部ＤＣに格納する。
【００３３】
なお、ユーザ情報データベースＤＢに格納されているユーザ情報、及びレイアウト情報格納部ＤＣに格納されているレイアウト情報は、それぞれ適宜の操作入力を行うことによってユーザ情報データベースＤＢ又はレイアウト情報格納部ＤＣの記録内容を変更することでそれぞれ編集（上書き）可能に設定されている。
【００３４】
次にデータベース装置Ｄの機能面について説明する。本実施形態においてデータベース管理システムは、所定のプログラムの指令に従って、図６に機能構成図を示すように、ＣＳＶユーザ情報ファイル生成手段Ｄ１、印刷情報生成手段Ｄ２、印刷情報出力手段Ｄ３、表示情報出力手段Ｄ４、カード識別子受付手段Ｄ５、カード識別子登録手段Ｄ６、ＣＳＶユーザ情報ファイル初期化手段Ｄ７として機能する。
【００３５】
ＣＳＶユーザ情報ファイル生成手段Ｄ１は、データベース装置Ｄが、前記ＣＳＶダミーファイル格納部ＤＤに格納されているＣＳＶダミーファイルに、ユーザ情報データベースＤＢに格納されている所定の従業員に係るユーザ情報を、ＣＳＶ形式で自動的に記録（更新）して上書きすることによりＣＳＶユーザ情報ファイルを生成する処理を行うというものである。以下の説明において、ＣＳＶユーザ情報ファイルに記録されているＣＳＶ形式のユーザ情報をＣＳＶユーザ情報とする。
【００３６】
印刷情報生成手段Ｄ２は、データベース装置Ｄが、レイアウト情報格納部ＤＣから取得したレイアウト情報と、ユーザ情報データベースＤＢから取得した所定の従業員に係るファイルに記録されたユーザ情報とを合成してカード本体Ｃ２に印刷する印刷情報を生成する処理を行うというものであり、本実施形態では、レイアウト情報格納部ＤＣから取得したレイアウト情報と、ＣＳＶユーザ情報ファイル生成手段Ｄ１により生成したＣＳＶユーザ情報ファイルに記録されているＣＳＶユーザ情報とを合成してカード本体Ｃ２に印刷する印刷情報を生成する処理を行うというものである。
【００３７】
印刷情報出力手段Ｄ３は、データベース装置Ｄが、印刷情報生成手段Ｄ２により生成した印刷情報をプリンタＰに出力する処理を行うというものである。
【００３８】
表示情報出力手段Ｄ４は、前記表示装置Ｄｆを利用してなるものであり、データベース装置Ｄが、印刷情報出力手段Ｄ３によりプリンタＰに出力した印刷情報に対応するユーザ情報を表示装置Ｄｆに画面表示させる表示情報として表示装置Ｄｆに画面出力する処理を行うというものである。
【００３９】
カード識別子受付手段Ｄ５は、データベース装置Ｄが、前記リーダＲのカード識別子出力手段Ｒ２により出力されたカード識別子の入力を受け付ける処理を行うというものである。このカード識別子受付手段Ｄ５により受け付けるカード識別子は、表示情報出力手段Ｄ４により表示装置Ｄｆに出力された表示情報に対応するユーザ情報を印刷情報として印刷したカード本体Ｃ２と共に一のＩＤカードＣを構成する記憶媒体Ｃ１のカード識別子と一致し得るものである。
【００４０】
カード識別子登録手段Ｄ６は、データベース装置Ｄが、カード識別子受付手段Ｄ５により受け付けたカード識別子を、このカード識別子が記憶された記憶媒体Ｃ１と共に一のＩＤカードＣを構成するカード本体Ｃ２に印刷した印刷情報に対応するユーザ情報に関連付けて、このユーザ情報を有する従業員に係る新たなユーザ情報としてユーザ情報データベースＤＢに登録する処理を行うというものである。
【００４１】
ＣＳＶユーザ情報ファイル初期化手段Ｄ７は、データベース装置Ｄが、ＣＳＶユーザ情報ファイル生成手段Ｄ１により生成したＣＳＶユーザ情報ファイルに記録されているＣＳＶユーザ情報を全て消去して初期化する処理を行うというものである。なお、当該ＣＳＶユーザ情報ファイル初期化手段Ｄ７により初期化されたファイルは前記ＣＳＶダミーファイルに相当するものである。
【００４２】
以下、図７〜図９に示すフローチャートを用いて、このＩＤカード管理システムＳの処理手順と、それに伴う作業等について説明する。
【００４３】
先ず、データベース装置Ｄが、表示装置Ｄｆにメニュー画面を画面表示する（図７、ステップ１（符号Ｓ１で示す。以下、これに準ずる））。メニュー画面は、例えば図１０（ａ）に示すようなものである。すなわち、この例では、カード本体Ｃ２に印刷するレイアウト情報の作成・変更を行う旨の表記である「レイアウト編集」、新たにＩＤカードＣを作成し、ＩＤカードＣのカード識別子をユーザ情報データベースＤＢに登録する旨の表記である「新規ＩＤカードＣ作成・登録」、このＩＤカード管理システムＳの終了を行う旨の表記である「終了」がメニューとして画面表示している。そして、これらのメニューからＩＤカード管理者が前記入力装置Ｄｅを介して所定のメニューの選択した旨の情報をデータベース装置Ｄが受け付けると（ステップ２）と、選択されたメニューに対応するプログラムが適宜実行される。
【００４４】
「レイアウト編集」を選択して入力した場合、図８に示すように、先ず、前記レイアウト作成ソフトウェアが起動し（ステップ１１）、レイアウト情報格納部ＤＣにレイアウト情報が格納されていなければ（ステップ１２；Ｙ）、データベース装置Ｄが、ＩＤカード管理者が入力装置Ｄｅを介して所定の操作により作成したレイアウト情報の入力を受け付け（ステップ１３）、当該レイアウト情報にファイル名を付した状態でレイアウト情報格納部ＤＣに格納する（ステップ１４）。一方、既にレイアウト情報格納部ＤＣにレイアウト情報が格納されていれば（ステップ１２；Ｎ）、データベース装置Ｄが、当該レイアウト情報を変更するか否かの選択入力を受け付け（ステップ１５）、当該レイアウト情報を変更する場合は（ステップ１５；Ｙ）、データベース装置Ｄが、レイアウト情報格納部ＤＣに既に格納しているレイアウト情報を、ＩＤカード管理者が入力装置Ｄｅを介して変更入力したレイアウト情報に変更（上書き）し（ステップ１６）、当該変更したレイアウト情報をレイアウト情報格納部ＤＣに格納する（ステップ１４）。
【００４５】
「新規ＩＤカード作成・登録」を選択した場合、図９に示すように、データベース装置Ｄが、データベース装置Ｄの前記表示装置Ｄｆに、図示しない従業員データ入力画面を画面表示する（ステップ２１）。そして、作成したＩＤカードＣの所持者となる予定の従業員（以下、「ＩＤカード所持予定者」と称す）に係るユーザ情報がユーザ情報データベースＤＢに格納されていなければ（ステップ２２；Ｙ）、データベース装置Ｄが、ＩＤカード管理者が従業員データ入力画面に表示される指示に従って入力装置Ｄｅを介して入力した一又は複数のＩＤカード所持予定者に関するユーザ情報を受け付け（ステップ２３）、データベース装置Ｄが、作成した一のＩＤカード所持予定者に係るユーザ情報を全て入力した旨の情報を受け付けた場合（ステップ２４；Ｙ）、従業員ごとに作成される一のファイルにおいて当該従業員（ＩＤカード所持予定者）に係るユーザ情報を相互に関連付けて記録させた状態でユーザ情報データベースＤＢに格納する（ステップ２５）。なお、この時点では、各従業員（ＩＤカード所持予定者）に係るカードＩＤに関するユーザ情報がユーザ情報データベースＤＢに格納されていないことはいうまでもない。
【００４６】
ＩＤカード所持予定者に係るユーザ情報をユーザ情報データベースＤＢに格納した後、或いは、ＩＤカード所持予定者に係るユーザ情報が既にユーザ情報データベースＤＢに格納されている場合は（ステップ２２；Ｎ）、データベース装置Ｄが、ＣＳＶユーザ情報ファイル生成手段Ｄ１により、ユーザ情報データベースＤＢに格納されているユーザ情報のうち、一又は複数のＩＤカード所持予定者に係るユーザ情報をＣＳＶ形式でＣＳＶダミーファイルに記録（更新）してＣＳＶユーザ情報ファイルを生成する。さらに、ＩＤカード管理者が入力装置Ｄｅを介して行う所定の操作に対応して、データベース装置Ｄがレイアウト用ソフトウェアを呼び出し、レイアウト情報格納部ＤＣからレイアウト情報を取得する（ステップ２７）。そして、データベース装置Ｄが、印刷情報生成手段Ｄ２により、レイアウト情報格納部ＤＣから取得したレイアウト情報と、ＣＳＶユーザ情報ファイルに記録されたＣＳＶユーザ情報であって且つ自動リンクによって当該レイアウト情報と関連付けられているＣＳＶユーザ情報とを合成して印刷情報を生成し（ステップ２８）、印刷情報出力手段Ｄ３により、この印刷情報をプリンタＰに出力する（ステップ２９）。
【００４７】
引き続き、前記プリンタＰが、印刷情報受付手段Ｐ１により、データベース装置Ｄから出力された印刷情報を受け付け、印刷手段Ｐ２により当該印刷情報をカード本体Ｃ２に印刷する（ステップ３０）。具体的には、前記ラベル用紙ＬＰにおけるラベル紙Ｌ３の印刷面Ｌ３Ａに印刷情報を印刷する。この後、手作業によりプリンタＰから印刷面Ｌ３Ａに印刷情報が印刷されたラベル用紙ＬＰを取り出し、前述したＩＤカードＣの作成手順を経て、印刷情報を印刷したカード本体Ｃに記憶媒体Ｃ１を挟み込んでなる一のＩＤカードＣを作成する。なお、プリンタＰを、引数（例えばレイアウト情報のファイル名等）により自動起動できるように設定しておいてもよい。
【００４８】
ＩＤカードＣを作成した後、データベース装置Ｄが、表示情報出力手段Ｄ４により、プリンタＰに出力した印刷情報に対応するユーザ情報を表示情報として表示装置Ｄｆに画面出力する（ステップ３１）。本実施形態では、図１０（ｂ）に示すように、ユーザ情報のうち従業員の氏名を表示情報として表示装置Ｄｆに画面出力している。なお、氏名以外の属性に関する属性値、例えば従業員コード等を表示情報として表示装置Ｄｆに画面出力しても勿論構わない。続いて、ＩＤカード管理者が、当該表示情報を参照しながら、表示情報として表示装置Ｄｆに画面表示されたユーザ情報を印刷情報としてカード本体Ｃ２に印刷しているＩＤカードＣをリーダＲにセットすると（ステップ３２；Ｙ）、リーダＲが、カード識別子取得手段Ｒ１により、リーダＲにセットしたＩＤカードＣの記憶媒体Ｃ１からカード識別子を読み取り、取得したカード識別子をカード識別子出力手段Ｒ２により、データベース装置Ｄに出力すると、データベース装置Ｄが、カード識別子受付手段Ｄ５により、リーダＲから出力されたカード識別子の入力を受け付ける（ステップ３３）。しかして、データベース装置Ｄが、カード識別子登録手段Ｄ６により、当該カード識別子を、このカード識別子が記憶された記憶媒体Ｃ１と共に一のＩＤカードＣを構成するカード本体Ｃ２に印刷した印刷情報に対応するユーザ情報に関連付けて、当該ユーザ情報を有するユーザに係る新たなユーザ情報としてユーザ情報データベースＤＢに登録して格納する（ステップ３４、図６（ｂ）参照）。そして、データベース装置Ｄが、リーダＲにセットしたＩＤカードＣのカード識別子をユーザ情報データベースＤＢに登録した旨（例えば図１０（ｃ）参照）の表記を表示装置Ｄｆに画面表示する。
【００４９】
データベース装置Ｄが、他にユーザ情報データベースＤＢに登録するＩＤカードＣがない旨の情報を受け付けた場合（ステップ３６；Ｙ）、データベース装置Ｄが、ＣＳＶユーザ情報ファイル初期化手段Ｄ７により、ＣＳＶユーザ情報ファイルに記録されたＣＳＶユーザ情報を全て消去して初期化する（ステップ３７）。すなわち、ＣＳＶユーザ情報ファイルは、一時的に使用されるものであり、これにより、ユーザ情報が不用意に漏洩することを防止し、セキュリティの強化を図っている。他方、他にユーザ情報データベースＤＢにカード識別子を登録するＩＤカードＣがある場合は（ステップ３６；Ｎ）、全てのＩＤカードＣのカード識別子を上記と同様にユーザ情報データベースＤＢに登録して格納するまで前記ステップ３１〜ステップ３５を繰り返し実行する。
【００５０】
なお、「レイアウト編集」や「新規ＩＤカードＣ作成」とともに、ユーザ情報データベースＤＢに格納され管理されているユーザ情報の変更を行う「従業員データ変更」という表記をメニューとして表示装置Ｄｆに画面表示してもよい。この「従業員データ変更」を選択した場合は、このメニューに対応するプログラムが適宜実行され、例えば、データベース装置Ｄがユーザ情報データベースＤＢからユーザ情報を変更する従業員に係るファイルを取得し、ＩＤカード管理者が当該ファイルに記録されているユーザ情報を入力装置Ｄｅ等を介して修正・削除等の入力操作を行うことにより、データベース装置Ｄが当該変更したユーザ情報を受け付けて当該従業員に係るユーザ情報を変更（上書き）し、当該変更したユーザ情報をユーザ情報データベースＤＢに格納するようにすればよい。また、ユーザ情報の変更に伴い、新たにＩＤカードＣを作成し、当該ＩＤカードＣが有するカード識別子をユーザ情報データベースＤＢに登録する場合は、前記ステップ２６〜ステップ３７を実行すればよい。
【００５１】
このように、本実施形態に係るＩＤカード管理システムＳによれば、ＩＤカードＣをプリンタＰを利用して簡単且つ手軽に作成することができ、ＩＤカードＣを作成するに際して予め専用の金型を成型する必要がなく、初期製作費用を抑えることができる。また、プリンタＰを介して所定の印刷情報をカード本体Ｃ２に自由に印刷することができ、ＩＤカードＣを小ロットで製作することも可能である。その結果、比較的小人数の従業員に配布予定のＩＤカードＣを作成する場合に、特に有用なものとなる。しかも、ユーザ情報データベースＤＢにおいて、カード本体Ｃ２に付帯してなる記憶媒体Ｃ１のカード識別子を、当該カード本体Ｃ２に印刷された印刷情報に対応するユーザ情報を含むファイルに記録することができ、ユーザ情報データベースＤＢに格納されるユーザー情報に対して高い信頼性を与えることが可能となり、ユーザ情報データベースＤＢに格納されているユーザ情報に基づいてＩＤカードＣの的確な管理を行うことができる。
【００５２】
特に、データベース装置Ｄのユーザ情報格データベースＤＢに格納されるユーザ情報のうち、少なくとも一のユーザ情報がユーザを特定する一の属性に関する一の属性値であるため、複数人のＩＤカードＣを作成した場合であっても、一の従業員に係るユーザ情報と、当該ユーザ情報を印刷情報として印刷したカード本体に付帯させた記憶媒体のカード識別子との関連付けを容易に行うことができ、その結果、ユーザ情報データベースＤＢにおいて、一の従業員に係るユーザ情報と、他のユーザに係るユーザ情報とをそれぞれ明確に区別することが可能となり、各ＩＤカードＣに関する情報を好適に管理することができる。
【００５３】
さらに、前記データベース装置Ｄの表示画面に、印刷情報に対応するユーザ情報を表示情報として画面表示するように設定しているため、カード識別子を登録すべきＩＤカードＣを容易に把握することができるとともに、表示装置Ｄｆに画面表示される表示情報を確認しながら、この表示情報に対応するユーザ情報を印刷情報として印刷したカード本体Ｃ２を有するＩＤカードＣをリーダＲにセットすることにより、リーダＲを介して取得したＩＤカードＣのカード識別子を、表示情報に対応するユーザ情報、すなわち印刷情報に対応するユーザ情報に関連付けて一の従業員に係る新たなユーザ情報としてユーザ情報データベースＤＢに登録して格納することができる。その結果、ユーザ情報データベースＤＢにおいて、取得したカード識別子が他のユーザに係る新たなユーザ情報として誤って登録されるという不具合を防止することができる。
【００５４】
なお、本発明は、以上に詳述した実施形態に限られるものではない。
【００５５】
例えば、前記実施形態では、ユーザ情報を一旦ユーザ情報データベースＤＢに格納した後、当該ユーザ情報データベースＤＢから取得した所定の従業員（ユーザ）に係るユーザ情報をカード本体Ｃ２に印刷する印刷情報として活用する態様であったが、これに限らず、カード本体に印刷するために前記入力装置を利用して入力されたユーザ情報をそのままカード本体に印刷する印刷情報として活用する態様であっても構わない。この場合、データベース装置に設けた印刷情報生成手段は、レイアウト情報格納部から取得したレイアウト情報と、カード本体に印刷するために前記入力装置を利用して入力されたユーザ情報そのものとを合成してカード本体に印刷する印刷情報を生成する処理を行うものとなる。そして、当該印刷情報を前記印刷情報出力手段によりプリンタＰに出力した後、前記ステップ３０（図９）以下の手順と略同様の手順を経ることにより、当該印刷情報を印刷したカード本体と共にＩＤカードを構成する記憶媒体のカード識別子を、カード本体に印刷するために入力装置を利用して入力されたユーザ情報に関連付けて、ユーザに係る新たなユーザ情報として、入力装置を利用して入力されたユーザ情報と共にユーザ情報データベースに格納するように設定することにより、カード本体に印刷することを意図して入力装置を用いて入力したユーザ情報を、単に印刷情報として活用するに止まらず、ＩＤカードを管理するための情報としても転用することができる。
【００５６】
また、例えば、図１１に示すように、アクセス装置として、ＩＤカードＣの記憶媒体Ｃ１に対して読み書きし得る機能を有するリーダライタＲＷを適用してもよく、この場合、データベース装置Ｄが、前記印刷情報出力手段Ｄ３によりプリンタＰに出力した印刷情報に対応するユーザ情報を、印刷情報が印刷されたカード本体Ｃ２に付帯させた記憶媒体Ｃ１に書き込む書込情報として前記アクセス装置たるリーダライタＲＷに出力する書込情報出力手段Ｄ８をさらに具備しているものとし、他方、リーダライタＲＷが、データベース装置Ｄの書込情報出力手段Ｄ８によりデータベース装置Ｄから出力される書込情報を受け付ける書込情報受付手段ＲＷ３と、この書込情報受付手段ＲＷ３により受け付けた書込情報を記憶媒体Ｃ１に対してカード識別子に関連付けて書き込む第１書込手段ＲＷ４とをさらに具備するものとしてもよい。そして、図１２にフローチャートで示すように、例えば、前記実施形態におけるステップ３４に次いで、データベース装置Ｄが、書込情報出力手段Ｄ８により、ユーザ情報データベースＤＢに格納している印刷情報に対応するユーザ情報を書込情報としてリーダライタＲＷに出力し、引き続きリーダＲが、書込情報受付手段ＲＷ３によって当該書込情報をデータベース装置Ｄから受け付け、第１書込手段ＲＷ４により当該書込情報を記憶媒体Ｃ１に書き込むようにすれば（ステップ３４'）、ユーザ情報データベースＤＢに格納されているユーザ情報を、印刷情報として活用することができるのみならず、書込情報として活用することができる。すなわち、ユーザ情報データベースＤＢに格納されているユーザ情報を、印刷情報及び書込情報として共用することができ、その結果、記憶媒体Ｃ１に記録された書込情報に対応するユーザ情報と、ユーザ情報データベースＤＢに格納されているユーザ情報とを確実に一致させることができ、カード本体Ｃ２に印刷した印刷情報と、記憶媒体Ｃ１に書き込まれた書込情報とが異なるというＩＤカードＣ作成時のミスを有効に防止することが可能である。また、書込情報としてユーザ情報データベースＤＢに格納されているユーザ情報をそのまま利用することにより、書込情報として、ユーザ情報データベースＤＢに格納されているユーザ情報を利用せずに別途適宜の操作により新たに生成（入力）した情報を適用した場合と比較して、操作手順の簡素化及び効率化を有効に図ることができる。
【００５７】
また、ユーザ情報データベースＤＢにおいて、各ユーザに係るユーザ情報の識別性を確保し、他のユーザに係るユーザ情報との差別化を容易且つ的確に図るために、図１３に示すように、データベース装置Ｄに、リーダライタＲＷにより取得されたカード識別子と、前記カード本体Ｃ２に印刷した印刷情報に対応するユーザ情報とに基づいて新たな属性に関する属性値である新規属性値を生成する新規属性値生成手段Ｄ９と、この新規属性値生成手段Ｄ９により生成した新規属性値を、印刷情報に対応するユーザ情報を有した前記ユーザに係る新たなユーザ情報として前記ユーザ情報格納データベースＤＢに追加登録する新規ユーザ情報登録手段Ｄ１０とをさらに設けてもよい。加えて、ユーザ情報データベースＤＢに登録した新規ユーザ情報を用いて、各ＩＤカードＣ自体の識別性をも確保するには、前記データベース装置Ｄに、前記新規ユーザ情報登録手段Ｄ１０により前記ユーザ情報格納データベースＤＢに登録した新規ユーザ情報を、前記記憶媒体Ｃ１に書き込む新規書込情報としてリーダライタＲＷに出力する新規書込情報出力手段Ｄ１１をさらに設けるとよい。この場合、リーダライタＲＷに、データベース装置Ｄの新規書込情報出力手段Ｄ１１によりデータベース装置Ｄから出力される新規書込情報を受け付ける新規書込情報受付手段ＲＷ５と、この新規書込情報受付手段ＲＷ５により受け付けた新規書込情報を記憶媒体Ｃ１に書き込む第２書込手段ＲＷ６とをさらに設ければよい。そして、図１４にフローチャートで示すように、例えば、前記実施形態におけるステップ３４又はステップ３４'に次いで、データベース装置Ｄが、新規属性値生成手段Ｄ９により、リーダライタＲＷにより取得されたカード識別子と、前記カード本体Ｃ２に印刷した印刷情報に対応するユーザ情報とに基づいて新たな属性に関する属性値である新規属性値、例えばユニークな値を示す識別子たるユニークＩＤを生成し（ステップ４０）、次いで、新規ユーザ情報登録手段Ｄ１０により、このユニークＩＤを、印刷情報に対応するユーザ情報を有した従業員に係る新たなユーザ情報として前記ユーザ情報データベースＤＢに追加登録する（ステップ４１、図１５参照）。続いて、データベース装置Ｄが、新規書込情報出力手段Ｄ１１により、ユニークＩＤを、記憶媒体Ｃ１に書き込む新規書込情報としてリーダライタＲＷに出力し、引き続きリーダライタＲＷが、新規書込情報受付手段ＲＷ３によって当該新規書込情報をデータベース装置Ｄから受け付け、第２書込手段ＲＷ６により当該新規書込情報を記憶媒体Ｃ１に書き込むようにすれば（ステップ４２）、上述した効果を奏するＩＤカード管理システムＳとすることがきる。また、ステップ４２に引き続き、データベース装置Ｄが、リーダライタＲＷを介してＩＤカードＣの記憶媒体Ｃ１から新規書込情報を取得し、当該取得した新規書込情報に対応するユニークＩＤが、ユーザ情報データベースＤＢに格納されているユニークＩＤと一致するか否かを照合するようにし（ステップ４３）、両方のユニークＩＤが一致した場合（ステップ４３；Ｙ）のみ次のステップへ移行するようにすれば、記憶媒体Ｃ１に記憶させたユニークＩＤとユーザ情報データベースＤＢに格納したユニー��ＩＤとを確実に整合させることができ、より的確なＩＤカードＣの管理をユニークＩＤを用いて行うことができる。なお、ユニークＩＤは重複しないように、記憶装置Ｄｃ等に記憶されたプログラムにしたがって自動的に生成されるものとしていることが好ましい。
【００５８】
また、前記表示情報を画面表示する表示装置をデータベース装置に設けた態様を示したが、表示装置をリーダ又はリーダライタ等のアクセス装置に設けてもよい。この場合、データベース装置が、前記表示情報出力手段により、表示情報をアクセス装置の表示装置に対して送信出力し、アクセス装置が、この表示情報の入力を受け付けて表示装置に画面表示させるようにすればよい。このようなものであれば、アクセス装置の表示装置に画面表示される表示情報を見ながらそのままアクセス装置に該当するＩＤカードをセットすることができ、逐一データベース装置の表示装置に画面表示される表示情報を見てＩＤカードをアクセス装置にセットする場合と比較して使い勝手に優れたものとなる。なお、データベース装置及びアクセス装置それぞれに表示装置を設けても構わない。
【００５９】
その他、各部の具体的構成についても上記実施形態に限られるものではなく、本発明の趣旨を逸脱しない範囲で種々変形が可能である。
【００６０】
なお、以上に詳述したＩＤカード管理システムを利用して、次に説明するタイムカードシステムを構成してもよい。
【００６１】
このタイムカードシステムは、例えば、少なくともカード識別子をデータベース装置のユーザ情報データベースに登録し且つ従業員が所持するＩＤカードと、ＩＤカードの記憶媒体に対して読み出し可能又は読み書き可能なアクセス装置（リーダまたはリーダライタ）と、このアクセス装置と情報通信可能な出退勤管理装置とから構成されるものである。出退勤管理装置は、データベース機能及びデータベース管理機能を備えた通常の情報処理装置であって、既知の勤務管理ソフトウェアをハードディスク等の記憶装置に格納するなどして搭載しており、記憶装置における所定領域を、前記データベース装置のユーザ情報データベースのユーザ情報をコピーしたサブユーザ情報を格納するサブユーザ情報データベース、及びＩＤカードを所持する従業員（以下、ＩＤカード所持者）の出退勤に関する情報である出退勤情報を格納する出退勤情報データベースとして使用している。出退勤情報データベースは、サブユーザ情報データベースに格納されているカード識別子に対応するカード識別子ごとに１ファイルが作成され、出勤時刻、退勤時刻等を属性とするものである。
【００６２】
そして、ＩＤカード所持者が、出勤時又は退勤時に自己のＩＤカードをアクセス装置にセットすると、出退勤管理装置が、アクセス装置を介して当該ＩＤカードのカード識別子を取得し、この取得したＩＤカードを属性値として有するファイルに、ＩＤカードをアクセス装置にセットした時刻を出勤時刻又は退勤時刻としてカード識別子と関連付けて出退勤情報データベースに記録する。これにより、出退勤情報データベースに各ＩＤカード所持者の出退勤情報が正確に記録され、これら出退勤情報を所定のフォーマットで月次ごとに例えばデータベース装置へ送信し、このフォーマットを受信したデータベース装置が前記プリンタを介して出退勤情報を所定のフォーマットで印刷すれば、ＩＤカード所持者の出勤実績を容易且つ適確に把握することができる。
【００６３】
以上説明したタイムカードシステムは、ＩＤカード管理システムを利用した一例であり、その他、本発明に係るＩＤカード管理システムを利用して出入室管理等種々のシステムを構成しても構わない。
【図面の簡単な説明】
【００６４】
【図１】本発明の一実施形態に係るＩＤカード管理システムの全体的な概略構成を示す図。
【図２】同実施形態におけるラベル用紙を示す図。
【図３】同実施形態におけるラベル用紙からカード本体（ラベル体）を作成する説明図。
【図４】同実施形態におけるデータベース装置の内部機器を概略的に示す図。
【図５】同実施形態におけるユーザ情報データベースに格納されるユーザ情報の一例を示す図。
【図６】同実施形態に係るＩＤカード管理システムの機能構成説明図。
【図７】同実施形態に係るＩＤカード管理システムの処理手順の一部を示すフローチャート。
【図８】同図。
【図９】同図。
【図１０】同実施形態において表示装置に画面表示される各種情報の一例を示す図。
【図１１】同実施形態に係るＩＤカード管理システムの一変形例における機能構成説明図。
【図１２】同変形例におけるＩＤカード管理システムの処理手順の一部を示すフローチャート。
【図１３】同実施形態に係るＩＤカード管理システムの一変形例における機能構成説明図。
【図１４】同変形例におけるＩＤカード管理システムの処理手順の一部を示すフローチャート。
【図１５】同変形例におけるユーザ情報データベースに格納されるユーザ情報の一例を示す図。
【符号の説明】
【００６５】
Ｃ…ＩＤカード
Ｃ１…記憶媒体
Ｃ２…カード本体
Ｄ…データベース装置
Ｄｅ…入力装置
Ｄｆ…表示装置
ＤＢ…ユーザ情報格納部（ユーザ情報データベース）
ＤＣ…レイアウト情報格納部
Ｄ２…印刷情報生成手段
Ｄ３…印刷情報出力手段
Ｄ４…表示情報出力手段
Ｄ５…識別子受付手段（カード識別子受付手段）
Ｄ６…識別子登録手段（カード識別子登録手段）
Ｄ８…書込情報出力手段
Ｄ９…新規属性値生成手段
Ｄ１０…新規ユーザ情報登録手段
Ｄ１１…新規書込情報出力手段
Ｐ…印刷装置（プリンタ）
Ｒ、ＲＷ…アクセス装置（リーダ、リーダライタ）
Ｓ…ＩＤカード管理システム
【図１】
2006079377.tif 000003
【図２】
2006079377.tif 000004
【図３】
2006079377.tif 000005
【図４】
2006079377.tif 000006
【図５】
2006079377.tif 000007
【図６】
2006079377.tif 000008
【図７】
2006079377.tif 000009
【図８】
2006079377.tif 000010
【図９】
2006079377.tif 000011
【図１０】
2006079377.tif 000012
【図１１】
2006079377.tif 000013
【図１２】
2006079377.tif 000014
【図１３】
2006079377.tif 000015
【図１４】
2006079377.tif 000016
【図１５】
2006079377.tif 000017